(57)【特許請求の範囲】
【請求項１】
磁気信号を出力するループコイルを備えた磁気ループコイル部と、
複数のスピーカーが縦方向に１列に配置されたトーンゾイレスピーカー部と、
を有し、
入力された音声信号に基づいて、前記磁気ループコイル部から磁気信号を出力すると共に、前記スピーカー部から音声を出力するスピーカー装置。
【請求項２】
前記磁気信号は、磁気ループシステム対応型の補聴器で聴取可能な信号であることを特徴とする請求項１に記載のスピーカー装置。
【請求項３】
更に、前記磁気ループコイル部から出力される磁気信号の出力値と音声信号の出力値とのバランスを調節するための出力調節部を有することを特徴とする請求項１又は２に記載のスピーカー装置。
【請求項４】
前記ピーカー部の前面には、少なくとも各スピーカーに対応する位置に開口部又は孔が形成されたカバーが設けられていることを特徴とする請求項１乃至３のいずれか１項に記載のスピーカー装置。
【請求項５】
壁又は柱の床面から１２０〜１８０ｃｍの位置に取り付けられることを特徴とする請求項１乃至４のいずれか１項に記載のスピーカー装置。
【発明の詳細な説明】
【技術分野】
【０００１】
本発明は、駅及び公共施設等のように不特定多数の人が利用する場所に設置されるスピーカー装置に関する。より詳しくは、聴覚障害者用として好適なスピーカー装置に関する。
【背景技術】
【０００２】
駅及び公共施設等の不特定多数の人が利用する場所において、スピーカー装置から流れるアナウンスは、補聴器を装着していても聴覚障害者には聞き取りにくいと言われている。特に、駅構内や電車内のアナウンスは、音自体は聞こえるものの、その意味まで正確に聞き取ることが困難なことが多い。
【０００３】
その理由としては、スピーカー装置から出た音が天井や壁に反響して、音を曖昧にしてしまうことが考えられる。一方、スピーカー装置の近くに耳を近づければ、このような反響音の影響は少なくなるが、一般に、アナウンス用のスピーカー装置は、高い位置に取り付けられているため、反響音の影響がなくなるまで近づくことはできない。
【０００４】
そこで、従来、聴覚障害者が、スピーカー装置から流れる音声を明瞭に聞き取れるようにしたシステムが提案されている（特許文献１及び２参照）。例えば、特許文献１には、放送ラインにマッチングトランスを介してスピーカーを接続すると共に、補聴装置のプリアンプ部にピックアップコイルを接続し、このピックアップコイルをマッチングトランスの近傍に配置し、放送ラインに補聴装置を磁気結合した補聴システムが開示されている。この補聴システムでは、スピーカーから流される音声データが、補聴装置を介して聴覚障害者が装着している誘導コイル付き補聴器に送信されるため、健常者がスピーカーから聴取している音声を、同時に、聴覚障害者が補聴器のイヤホンを介して聴取することができる。
【０００５】
図５は特許文献２に記載の技術を適用したエレベータを模式的に示す図である。図５に示すように、特許文献２に記載のエレベータの音声放送システムでは、エレベータの乗りかご１０１にループアンテナ１０２を設置し、スピーカー等の音声出力部１０３から出力される音声データを、ループアンテナ１０２により磁界信号として出力し、聴覚障害者１００が磁気ループシステム対応型の補聴器１０４を使用して聴取できるようにしている。
【０００６】
【特許文献１】特開２００３−２７４４８９号公報
【特許文献２】特開２００６−２５６８４３号公報
【発明の開示】
【発明が解決しようとする課題】
【０００７】
しかしながら、前述した特許文献１及び２に記載の技術は、ループアンテナを天井、床面又はエレベータの乗りかご等に設置する必要があるため、既存の施設に設ける場合、設備の大幅改修が必要となるという問題点がある。
【０００８】
また、特許文献１及び２に記載された技術のように、音声を磁界信号として出力する従来の方法は、磁気ループシステム対応型の補聴器を装着している聴覚障害者に対しては効果があるが、補聴器を装着していない軽度の聴覚障害者、及び補聴器を装着していても磁気ループ受信用コイルを内蔵しておらず磁気ループシステムに対応していないものである場合には、効果が得られないという問題点がある。
【０００９】
そこで、本発明は、設置が容易で、かつ聴覚障害者が障害の程度及び補聴器の有無・種類にかかわらず、音声を明瞭に聞き取ることができるスピーカー装置を提供することを主目的とする。
【課題を解決するための手段】
【００１０】
本発明に係るスピーカー装置は、磁気信号を出力するループコイルを備えた磁気ループコイル部と、複数のスピーカーが縦方向に１列に配置されたトーンゾイレスピーカー部と、を有し、入力された音声信号に基づいて、前記磁気ループコイル部から磁気信号を出力すると共に、前記スピーカー部から音声を出力するものである。
このスピーカー装置では、トーンゾイレスピーカー部から反響しにくい音声を、磁気ループコイル部から音声信号に対応する磁気信号を、それぞれ出力するため、補聴器を装着していない又は磁気ループシステムに対応していない補聴器を装着している聴覚障害者はスピーカー装置に近づくことで、また、磁気ループシステムに対応している補聴器を装着している聴覚障害者は磁気信号を受信することで、より明瞭な音声を聴取することができる。
前記磁気信号は、磁気ループシステム対応型の補聴器で聴取可能な信号であることが望ましい。
また、このスピーカー装置は、前記磁気ループコイル部から出力される磁気信号の出力値と音声信号の出力値とのバランスを調節するための出力調節部を有していてもよい。
更に、前記ピーカー部の前面に、少なくとも各スピーカーに対応する位置に開口部又は孔が形成されたカバーを設けることもできる。
更にまた、本発明のスピーカー装置は、壁又は柱の床面から１２０〜１８０ｃｍの位置に取り付けることができる。
【発明の効果】
【００１１】
本発明によれば、スピーカー部を薄型・小型化が可能なトーンゾイレスピーカーで構成しているため容易に設置することができ、更に、音声と磁気信号の両方を出力することができるため、聴覚障害者が障害の程度及び補聴器の有無・種類にかかわらず、音声を明瞭に聞き取ることができる。
【発明を実施するための最良の形態】
【００１２】
以下、本発明を実施するための最良の形態について、添付の図面を参照して説明する。なお、本発明は、以下に説明する実施形態に限定されるものではない。図１は本実施形態のスピーカー装置を示す平面図である。図１に示すように、本実施形態のスピーカー装置１は、前面が開口した筐体２の内部に、コイル３ａを備える磁気ループコイル部、及び複数のスピーカー４ａを備えたスピーカー部がこの順に積層配置されている。そして、筐体２の開口部を覆うように前面カバー５が取付けられている。
【００１３】
図２は図１に示す磁気ループコイル部を示す平面図であり、図３は図１に示すスピーカー部を示す平面図である。図２に示すように、本実施形態のスピーカー装置１における磁気ループコイル部３は、磁気誘導アンプ（図示せず）から出力される音声信号を磁気信号として出力するものであり、絶縁基材３ａ上にループ状のコイル３ｂが設けられている。
【００１４】
この磁気ループコイル部３は、例えば、外面が絶縁体で被覆されたケーブルをループ状に所定回数巻回してコイルとし、それを樹脂シート又は樹脂板等の絶縁基材に固定することにより形成することができる。又は、めっき法等により、樹脂シート又は樹脂板等の絶縁基材上に、直接ループ状のコイルを形成してもよい。この磁気ループコイル部３におけるコイル３ｂの巻き数は、特に限定されるものではない。
【００１５】
例えば、駅等に設置する場合は、既存の放送機器及び配線を活用することができるため、専用アンプは不要となる。ただし、この場合、スピーカー装置１と既存のスピーカーとが並列に接続されるため、これらの合成インピーダンスを既存のスピーカーの固有のインピーダンスに極力近づける必要がある。このため、本実施形態のスピーカー装置１を既存設備に接続して使用する場合は、既存のスピーカーの音声出力を大きく乱さない範囲になるように、スピーカー部４及び磁気ループコイル部３のインピーダンスを設定することが望ましい。
【００１６】
また、図３に示すように、本実施形態のスピーカー装置１のスピーカー部４は、複数のスピーカー４ａが縦方向ｙに一列に配置された構成となっている。このように、スピーカーを縦方向に配列することにより、ゾイレ効果により、縦方向ｙの指向性を狭くすると共に、横方向ｘの指向性を広くすることができる。これにより、天井や床での反響を抑制することができるため、音声を聞き取りやすくすることができる。
【００１７】
また、本実施形態のスピーカー装置１は、聴覚障害者がその近傍、具体的には、スピーカー装置１から１ｍ以内の位置で音声を聴取することを想定しており、更に、前述したように、トーンゾイレスピーカーにすることにより、音声を聞き取りやすくしているため、個々のスピーカー４ａの出力を低減することができる。これにより、スピーカー４ａとして、小型スピーカーを使用することが可能となるため、スピーカー部４を薄型化することができる。
【００１８】
例えば、スピーカー装置１が、縦が４０〜６０ｃｍ程度、横が１０〜２０ｃｍ程度の大きさであった場合、スピーカー４ａとしては、直径が２〜４ｃｍ程度、厚さが数ｍｍ程度の小型スピーカーを、ほぼ等間隔に５〜１０個程度配置すればよい。この場合、筐体２の厚さにもよるが、スピーカー装置１の厚さを１ｃｍ以下にすることができる。
【００１９】
本実施形態のスピーカー装置１における筐体２及び前面カバー５は、樹脂製、金属製及び木製等、その材質は特に限定されるものではなく、設置場所の状況に応じて適宜選択することができる。また、前面カバー５には、少なくとも各スピーカー４ａに対応する位置に開口部５ａ若しくは孔が設けられているか、又は、少なくとも各スピーカー４ａに対応する位置が網目状になっていることが望ましい。これにより、各スピーカー４ａからの出力された音声が、前面カバー５で反射して聞き取りにくくなることを防止できる。
【００２０】
更に、本実施形態のスピーカー装置１は、必要に応じて、磁気ループコイル部３から出力される磁気信号の出力値と、スピーカー部４から出力される音声の大きさとのバランスを調節するための出力調節部（図示せず）を設けることもできる。
【００２１】
磁気ループシステム対応型の補聴器は、内蔵マイクを介して音を聞く場合と、内蔵コイルを介して磁気信号を受信する場合とで、スイッチを切り替える必要がある。音声及び磁気信号の出力値の差が大きいと、音を聞くモードから磁気信号を受信するモードに切り替えたときに、補聴器の受信レベル調整が必要となる。また、音声と磁気信号の両方を同時に聴取できる補聴器もあり、このような補聴器を装着している場合、音声と磁気のそれぞれの信号の強さがほぼ同等でないと聞き取り難くなり、補聴器自体の音量調節も煩雑となる。
【００２２】
更に、本実施形態のスピーカー装置１は、装置近傍での受信を想定し、磁気信号の出力値を比較的小さく設定しているため、スピーカー部４から出力される音声を広範囲で聞き取れる程の音量に設定してしまうと、補聴器で磁気信号を受信したときの受信レベルが小さくなり、イヤホンを介して聴取する音が聞き取りにくくなることがある。
【００２３】
このような場合は、スピーカー装置１に前述した出力調節部を設け、管理者が予め又は聴覚障害者の求めに応じて、スピーカー部４から出力される音量を、磁気ループコイル部３から出力される磁気信号の出力値と同等になるように調整することで、補聴器で聴取する音量差をなくし、聴覚障害者が音声をより聞き取りやすくすることができる。
【００２４】
次に、上述の如く構成された本実施形態のスピーカー装置１の動作について説明する。図４は本実施形態のスピーカー装置１の設置例を模式的に示す図である。図４に示すように、本実施形態のスピーカー装置１は、聴覚障害者用として、駅及び公共施設等のように不特定多数の人が利用する場所の柱１１や壁１２等に取り付けられ、既に設置されているスピーカー１３用の配線１４に接続される。
【００２５】
その際、スピーカー装置１は、聴覚障害者１０の耳の位置程度、具体的には、スピーカー装置１の上端部が床面から１７０〜１８０ｃｍ程度、かつ下端部が床面から１２０〜１３０ｃｍ程度に位置するように配置することが望ましい。これにより、子供から大人まで、幅広い身長差に対応することができる。
【００２６】
本実施形態のスピーカー装置１においては、既存のスピーカーと同様に音声信号が入力され、この音声信号は、スピーカー部４に入力されると共に、磁気誘導アンプ（図示せず）を介して磁気ループコイル部３に入力される。そして、各スピーカー４ａからスピーカー装置１の近傍のみに聞こえる程度の音声が出力されると共に、コイル３ｂからは同じ内容の磁気信号が出力される。なお、スピーカー装置１を既存の放送設備の配線に接続して使用する場合は、既存の設備を利用することができるため、別途磁気誘導アンプを設置する必要はない。
【００２７】
このように、本実施形態のスピーカー装置１は、その近傍にのみ、音声又は磁気信号を出力しているため、補聴器を装着していない又は磁気ループシステムに対応していない補聴器を装着している聴覚障害者は、スピーカー装置１に近づくことで、その他のスピーカーから流れる音声と同じ内容を、反響の影響を受けずに、より明瞭な音で聞くことができる。また、磁気ループシステム対応の補聴器を装着している聴覚障害者は、補聴器のモードを磁気信号の受信に切り替えることで、周囲の音に左右されずにより明瞭なアナウンスを聞くことができる。
【００２８】
また、本実施形態のスピーカー装置１は、既存のスピーカー用の配線に接続することができ、更に、薄型・軽量であるため、両面テープ及び接着剤等により柱や壁に貼り付けることも可能である。このため、既存設備を改修又は交換しなくても、容易に設置することができる。
【００２９】
更に、本実施形態のスピーカー装置１は、スピーカー部４から発せられる音声はその近傍のみにしか聞こえず、また、磁気ループコイル部３から発せられる磁気信号は、磁気ループシステム対応の補聴器を装着している人にしか聞こえないため、既存のスピーカーから流れる音声にも影響しない。
【００３０】
上述の如く、本実施形態のスピーカー装置１は、容易に設置することができ、更に、障害の程度及び補聴器の有無・種類にかかわらず、聴覚障害者が音声を明瞭に聞き取ることができる。
【００３１】
なお、本実施形態のスピーカー装置１においては、スピーカー部３の後方に磁気ループコイル部４を配置しているが、本発明はこれに限定されるものではなく、これらの両方が設けられていれば、その配置は装置の大きさ及び必要とされる出力等に応じて適宜選択することができる。従って、例えば、各スピーカーの周囲にループコイルを形成し、スピーカー部と磁気ループコイル部とが一体となった構成とすることもできる。これにより、より薄型のスピーカー装置を実現することができる。
【図面の簡単な説明】
【００３２】
【図１】本発明の実施形態のスピーカー装置を示す分解斜視図である。
【図２】図１に示す磁気ループコイル部３を示す平面図である。
【図３】図１に示すスピーカー部４を示す平面図である。
【図４】本発明の実施形態のスピーカー装置の設置例を模式的に示す図である。
【図５】特許文献２に記載の技術を適用したエレベータを模式的に示す図である。
【符号の説明】
【００３３】
１  スピーカー装置
２  筐体
３  磁気ループコイル部
３ａ  絶縁基材
３ｂ  コイル
４  スピーカー部
４ａ  スピーカー
５  前面カバー
５ａ  開口部
１０、１００  聴覚障害者
１１  柱
１２  壁
１３  スピーカー
１４  配線
１０１  乗りかご
１０２  ループアンテナ
１０３  音声出力部
１０４  補聴器
【図１】
0004669503.tif 000002
【図２】
0004669503.tif 000003
【図３】
0004669503.tif 000004
【図４】
0004669503.tif 000005
【図５】
0004669503.tif 000006